Podtech/llm-jp-corpus-v4-ja_patent huggingface dataset:
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
図柄を表示可能な表示手段を有し、遊技媒体の投入を受けて遊技可能となり、遊技者の始動操作に基づいて再遊技を含む複数の小役、並びに大役の抽選を行い、当該抽選により当選した役に対応する図柄が前記表示手段に表示された場合に当選した役を成立させ、当該成立した役が小役の場合には当該小役に予め設定した配当を行い、前記成立した役が大役の場合には所定期間前記小役の成立機会を飛躍的に増大させ遊技者に短期間で多くの配当を行う大役遊技の権利行使を可能とする遊技機であって、
前記大役遊技の権利行使の際に、遊技者への配当が有利となるような特別演出を実行する特別演出実行制御手段と、
前記特別演出実行制御手段による特別演出を実行するか否かを、所定回数の遊技の間で大役の抽選に当選するか否かによって判断する判断手段と、
前記判断手段が判断対象とする所定回数の遊技の間、遊技者に対し特定画像を表示する画像表示部と、
前記画像表示部を表示制御する画像表示制御手段と、
を有する遊技機。
【請求項２】
前記画像表示部には、前記大役遊技、前記大役遊技とは異なる通常遊技のそれぞれに関連する表示演出、並びに前記特別演出を行う第１の表示領域と、前記特別演出実行制御手段による特別演出を事項する機会の有無、並びに当該機会として設定される前記所定回数に対応する特定画像を遊技者に対し表示する第２の表示領域とを備え、前記画像表示制御手段は、前記第１の表示領域と前記第２の表示領域との双方を表示制御することを特徴とする請求項１記載の遊技機。
【請求項３】
前記所定回数の遊技は、大役遊技の終了後に前記大役遊技とは異なる通常遊技として行われることを特徴とする請求項２記載の遊技機。
【請求項４】
前記特定画像が、通常遊技と並行して行われるキャクラタ獲得ゲームによって獲得可能であり、前記画像表示制御手段は、当該特定画像の獲得ゲームと並行実施される通常遊技において抽選により小役が当選したときに、前記画像表示部に前記特定画像を増加または減少させて表示することを特徴とする請求項２又は請求項３の遊技機。
【請求項５】
前記画像表示部に、前記特定画像が表示されている状態で、抽選により大役に当選した場合に、その当選後に成立させた当該大役遊技の権利行使の際に、前記特別演出実行制御手段による特別演出が実行されることを特徴とする請求項１乃至請求項４の何れか１記載の遊技機。
【手続補正２】
【補正対象書類名】明細書
【補正対象項目名】００１５
【補正方法】変更
【補正の内容】
【００１５】
請求項１に記載の発明は、図柄を表示可能な表示手段を有し、遊技媒体の投入を受けて遊技可能となり、遊技者の始動操作に基づいて再遊技を含む複数の小役、並びに大役の抽選を行い、当該抽選により当選した役に対応する図柄が前記表示手段に表示された場合に当選した役を成立させ、当該成立した役が小役の場合には当該小役に予め設定した配当を行い、前記成立した役が大役の場合には所定期間前記小役の成立機会を飛躍的に増大させ遊技者に短期間で多くの配当を行う大役遊技の権利行使を可能とする遊技機であって、前記大役遊技の権利行使の際に、遊技者への配当が有利となるような特別演出を実行する特別演出実行制御手段と、前記特別演出実行制御手段による特別演出を実行するか否かを、所定回数の遊技の間で大役の抽選に当選するか否かによって判断する判断手段と、前記判断手段が判断対象とする所定回数の遊技の間、遊技者に対し特定画像を表示する画像表示部と、前記画像表示部を表示制御する画像表示制御手段と、を有している。
【手続補正３】
【補正対象書類名】明細書
【補正対象項目名】００１７
【補正方法】変更
【補正の内容】
【００１７】
請求項２に記載の発明は、前記請求項１に記載の発明において、前記画像表示部には、前記大役遊技、前記大役遊技とは異なる通常遊技のそれぞれに関連する表示演出、並びに前記特別演出を行う第１の表示領域と、前記特別演出実行制御手段による特別演出を事項する機会の有無、並びに当該機会として設定される前記所定回数に対応する特定画像を遊技者に対し表示する第２の表示領域とを備え、前記画像表示制御手段は、前記第１の表示領域と前記第２の表示領域との双方を表示制御することを特徴としている。
【手続補正書】
【提出日】平成19年6月26日(2007.6.26)
【手続補正１】
【補正対象書類名】特許請求の範囲
【補正対象項目名】請求項１
【補正方法】変更
【補正の内容】
【請求項１】
識別情報を表示する画像表示装置と、
前記画像表示装置に識別情報を導出表示させる可変表示手段と、
前記識別情報が所定の表示結果となる場合に所定の遊技価値を付与可能な制御手段と、を有する遊技機能を備える画像処理装置において、
前記可変表示手段は、
識別情報を、前回の可変表示の表示結果として導出表示された識別情報から可変表示を開始させて、今回の可変表示の可変表示結果を導出表示させ、
三次元空間内における多面体として表現される移動体をモデリングし、識別情報を表すテクスチャ情報を前記移動体の非表示の裏面にマッピングした後、前記移動体を三次元座標変換して移動させることで、可変表示を行い、
可変表示開始前に決定された表示結果により決まる識別情報を導出表示させるために、可変表示開始後の識別情報の視認不可能な期間中に、マッピングする順序を飛ばす処理を実行する、ことを特徴とする画像処理装置。
【手続補正２】
【補正対象書類名】明細書
【補正対象項目名】００３０
【補正方法】変更
【補正の内容】
【００３０】
上記の課題を解決するために、本発明の画像表示装置は、
識別情報を表示する画像表示装置と、
前記画像表示装置に識別情報を導出表示させる可変表示手段と、
前記識別情報が所定の表示結果となる場合に所定の遊技価値を付与可能な制御手段と、を有する遊技機能を備える画像処理装置において、
前記可変表示手段は、
識別情報を、前回の可変表示の表示結果として導出表示された識別情報から可変表示を開始させて、今回の可変表示の可変表示結果を導出表示させ、
三次元空間内における多面体として表現される移動体をモデリングし、識別情報を表すテクスチャ情報を前記移動体の非表示の裏面にマッピングした後、前記移動体を三次元座標変換して移動させることで、可変表示を行い、
可変表示開始前に決定された表示結果により決まる識別情報を導出表示させるために、可変表示開始後の識別情報の視認不可能な期間中に、マッピングする順序を飛ばす処理を実行する。
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
先端部に撮像手段を備え、基端部を装置本体に接続して使用される細長の挿入部と、
照明手段及び観察用の光学レンズ群を備え、前記挿入部の先端に着脱可能なアダプタと、
前記アダプタと前記先端部との間に設けられた交換可能なセンサ手段と、
を備えたことを特徴とする内視鏡装置。
【請求項２】
前記センサ手段は、
情報を検出する１または複数種類の検出手段と、
前記先端部または前記アダプタに接続可能である電気的な接続手段と、
を備えたことを特徴とする請求項１に記載の内視鏡装置。
【請求項３】
前記センサ手段は、
前記検出手段および前記接続手段を備えた基板であることを特徴とする請求項２に記載の内視鏡装置。
【請求項４】
前記アダプタと前記先端部との間に前記センサ手段を結合状態にした場合、
前記アダプタと前記先端部との間を密封状態に保持することを特徴とする請求項１乃至請求項３のいずれか１項に記載の内視鏡装置。
【請求項５】
前記挿入部が流体アクチュエータにより湾曲操作される湾曲部を有し、前記検出手段には、前記流体アクチュエータの制御に使用する流体圧力検出用の圧力センサを備えていることを特徴とする請求項２に記載の内視鏡装置。
【請求項６】
前記検出手段は、
温度を検出する温度センサを備えたことを特徴とする請求項２乃至請求項４のいずれか１項に記載の内視鏡装置。
【請求項７】
前記センサ手段は、前記検出手段の検出値を保存する記憶手段を備えたことを特徴とする請求項２乃至請求項４のいずれか１項に記載の内視鏡装置。
【請求項８】
前記記憶手段に保存した検出値の情報を読み取るセンサ情報検出手段を備えたことを特徴とする請求項７に記載の内視鏡装置。
【請求項９】
前記アダプタ及び前記センサ手段に設けられ、それぞれの種別に応じて異なる個別信号を出力する識別信号出力手段と、
前記個別信号を読み取って種別を判断する読み取り判定手段と、
を具備してなる識別手段を備えたことを特徴とする請求項１乃至請求項８のいずれか１項に記載の内視鏡装置。
【請求項１０】
先端部に撮像手段を備え、基端部を装置本体に接続して使用される細長の挿入部と、
観察用の光学レンズ群を備えた前記挿入部の先端に着脱可能なアダプタと、
前記アダプタの先端面に設けられた交換可能なセンサ手段と、
を備え、
前記センサ手段は、
情報を検出する１または複数種類の検出手段と、
前記アダプタに接続可能である電気的な接続手段と、
観察対象をＬＥＤで照明する照明手段と、
を備えたことを特徴とする内視鏡装置。
【手続補正２】
【補正対象書類名】明細書
【補正対象項目名】０００２
【補正方法】変更
【補正の内容】
【０００２】
一般に、工業用や医療用として使用されている内視鏡装置は、管腔内に挿入される細長で長尺の挿入部を備えている。また、このような内視鏡装置においては、管腔内の観察対象を照明して観察や撮像を容易にするため、挿入部の先端に照明手段を備えている。近年においては、このような照明手段として、発光ダイオード（以下、ＬＥＤ）を採用したものが提案されている（たとえば特許文献１参照）。
また、細長で長尺の挿入部を備えている内視鏡装置においては、挿入部の先端部に着脱自在とした撮像アダプタを設け、同アダプタ内にＣＭＯＳセンサ等の撮像素子や加速度センサを備えた基板を配設したものが開示されている。この場合の加速度センサは、重力方向を検出するために設けられているものである（たとえば特許文献２参照）。
【特許文献１】特開平１０−２１６０８５号公報
【特許文献２】特開２００２−２６３０５７号公報
【手続補正３】
【補正対象書類名】明細書
【補正対象項目名】００１８
【補正方法】変更
【補正の内容】
【００１８】
観察窓２１の後方となるアダプタ２０内には、観察用の光学レンズ群２５が内蔵されている。この光学レンズ群２５は、後述する撮像手段とともにアダプタ２０の前方画像を撮像するために設けられている。なお、この光学レンズ群２５には、撮像対象や撮像目的に応じてそれぞれ異なる光学レンズを適宜組み合わせた複数種類が存在する。すなわち、異なる光学的性能を有する光学レンズ群２５を組み込んだ複数種類のアダプタ２０が予め用意されている。
アダプタ２０の外周後方には、挿入部２の先端部本体２ａに固定するためのスリーブ２６が取り付けられている。スリーブ２６の内周面には、軸方向において異なる位置に、２箇所の内ネジ部２６ａ，２６ｂが設けられている。一方の内ネジ部２６ａはスリーブ２６の後端部に位置し、他方の内ネジ部２６ｂは内ネジ部２６ａから所定の間隔を設けた先端部側に位置している。この場合、後端部側の内ネジ部２６ａは、挿入部２からアダプタ２０を分離させるとき、先端部本体２ａ側の外ネジ部３５に係止されてアダプタ２の脱落防止手段として機能する。また、先端部側の内ネジ部２６ｂは、先端部本体２ａ側の外ネジ部３５と螺合し、アダプタ２０を先端部本体２ａに取り付けた結合状態を保持するものである。
【手続補正４】
【補正対象書類名】明細書
【補正対象項目名】００３５
【補正方法】変更
【補正の内容】
【００３５】
また、この実施形態では、情報検出部１０に代えてスキャナ１６を設けてある。このスキャナ１６はケーブル１６ａを介して内視鏡本体３に接続され、センサ基板４０のメモリＭから情報を読み取ることができる。なお、スキャナ１６の不使用時には、操作部６とともに操作部用凹部５′に収納可能とされる。
このような構成とすれば、多種多様なアダプタ２０及びセンサ基板４０を内視鏡本体３に効率よく収納し、開閉蓋３ａを閉じた状態として容易に搬送することができる。また、挿入部２、操作部６及びスキャナ１６を含めて内視鏡本体３に収納できるので、保管場所の確保が容易になり、しかも優れた携帯性を有するものとなる。
【手続補正書】
【提出日】平成18年12月18日(2006.12.18)
【手続補正１】
【補正対象書類名】特許請求の範囲
【補正対象項目名】全文
【補正方法】変更
【補正の内容】
【特許請求の範囲】
【請求項１】
体腔内に挿入されるカプセル型医療装置と、
前記カプセル型医療装置内に設けられ、検出対象を検出するためのセンサ面と、
前記カプセル型医療装置内に設けられ、異なるセンサ面を順次露出する露出機構と、
を備えたことを特徴とするカプセル型医療システム。
【請求項２】
前記露出機構が、前記カプセル型医療装置に設けられた開口部と、
前記センサ面を前記開口部に対し相対的に移動する移動部と、
を備えたことを特徴とするカプセル型医療システム。
【請求項３】
前記開口部が扇形状であり、
前記センサ面が円板形状であり、
前記移動部が、前記センサ面を前記開口部に対して回転させることで、前記センサ面を順次露出することを特徴とする請求項１又は２に記載のカプセル型医療システム。
【請求項４】
前記開口部が円柱形状面に設けられ、
前記センサ面が円柱形状であり、前記開口部が設けられた円柱形状面に嵌合するように設けられ、
前記移動部が、前記センサ面を前記開口部に対して、前記円柱形状面に沿って回転させることで、前記センサ面を順次露出することを特徴とする請求項１又は２に記載のカプセル型医療システム。
【請求項５】
前記センサ面がフィルム状であり、
前記移動部が、前記フィルム状のセンサ面を巻き取り、前記センサ面を前記開口部に対して移動させることで、前記センサ面を順次露出することを特徴とする請求項１又２に記載のカプセル型医療システム。
【請求項６】
前記露出機構が、前記センサ面に設けられた消化管内で消化される物質で形成された層であることを特徴とする請求項１に記載のカプセル型医療システム。
【請求項７】
前記センサ面に形成された層が、前記センサ面の位置によって異なる厚さで形成されたことを特徴とする請求項６に記載のカプセル型医療システム。
【請求項８】
前記センサ面に形成された層が、前記センサ面の位置によって異なる物質で形成されたことを特徴とする請求項６に記載のカプセル型医療システム。
【請求項９】
前記カプセル型医療装置回収後に、前記センサ面を解析する解析装置を設けたことを特徴とする請求項１から請求項８の何れか一つに記載のカプセル型医療システム。
【請求項１０】
前記センサ面が前記カプセル型医療装置に対して取り外し可能に設けられたことを特徴とする請求項９に記載のカプセル型医療システム。
【請求項１１】
前記センサ面に複数種類の試薬層を設けることで、複数種類の対象を検出できるようにしたことを特徴とする請求項１から１０の何れか一つに記載のカプセル型医療システム。
【手続補正２】
【補正対象書類名】明細書
【補正対象項目名】発明の名称
【補正方法】変更
【補正の内容】
【発明の名称】カプセル型医療システム
【手続補正３】
【補正対象書類名】明細書
【補正対象項目名】０００６
【補正方法】変更
【補正の内容】
【０００６】
本発明の一態様によるカプセル型医療システムは、体腔内に挿入されるカプセル型医療装置と、前記カプセル型医療装置内に設けられ、検出対象を検出するためのセンサ面と、前記カプセル型医療装置内に設けられ、異なるセンサ面を順次露出する露出機構と、を備えている。
また、別の態様によるカプセル型医療システムは、前記露出機構が、前記カプセル型医療装置に設けられた開口部と、前記センサ面を前記開口部に対し相対的に移動する移動部と、を備えている。
【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
ユーザに適合したユーザ色覚特性を記憶するユーザ特性記憶手段と、
撮影により対象画像を取得する撮像手段と、
前記対象画像内にて、前記ユーザ色覚特性に基づく所定の混同色条件を満足する混同色領域を検出する混同色領域検出手段と、
検出された前記混同色領域を、弁別可能に表示する表示手段と、
を有することを特徴とする色覚支援装置。
【請求項２】
請求項１に記載の色覚支援装置において、
予め複数種類の色覚特性が格納された色覚特性記憶手段を有し、
ユーザの指示に応じて前記色覚特性のいずれかを選択して前記ユーザ色覚特性として前記ユーザ特性記憶手段に登録するユーザ特性登録手段と、
を有することを特徴とする色覚支援装置。
【請求項３】
請求項１に記載の色覚支援装置において、
所定の混同条件を満足する複数色を表示してユーザに弁別させ、その弁別結果に基づいて前記ユーザ色覚特性を推定するユーザ特性検査手段、
を有することを特徴とする色覚支援装置。
【請求項４】
請求項１から請求項３のいずれか１つに記載の色覚支援装置において、
前記混同色領域検出手段は、前記対象画像上にて隣接する２つの領域の色が互いに混同しやすい場合に、当該領域の少なくとも一方を前記混同色領域として検出すること、
を特徴とする色覚支援装置。
【請求項５】
請求項１から請求項４のいずれか１つに記載の色覚支援装置において、
前記混同色領域検出手段は、前記対象画像上にて互いに混同しやすい色を有する複数領域の大きさに基づいて、当該領域のうちから前記混同色領域を選択すること、
を特徴とする色覚支援装置。
【請求項６】
請求項１から請求項５のいずれか１つに記載の色覚支援装置において、
前記表示手段は、前記混同色領域を拡大して表示すること、
を特徴とする色覚支援装置。
【請求項７】
請求項１から請求項６のいずれか１つに記載の色覚支援装置において、
前記混同色領域の検出の有無を通知する通知手段を有すること、
を特徴とする色覚支援装置。
【請求項８】
請求項１から請求項７のいずれか１つに記載の色覚支援装置において、
前記表示手段は、前記混同色領域の明度、彩度及び色相の少なくともいずれか１つを変えて表示すること、
を特徴とする色覚支援装置。
【請求項９】
コンピュータに、
ユーザに適合したユーザ色覚特性を登録する手順と、
取得した対象画像内にて、前記ユーザ色覚特性に基づく所定の混同色条件を満足する混同色領域を検出する手順と、
検出された前記混同色領域を弁別可能とした画像を生成する手順と、
を実行させることを特徴とする色覚支援プログラム。
【手続補正２】
【補正対象書類名】明細書
【補正対象項目名】０００６
【補正方法】変更
【補正の内容】
【０００６】
本発明に係る色覚支援装置は、ユーザに適合したユーザ色覚特性を記憶するユーザ特性記憶手段と、撮影により対象画像を取得する撮像手段と、前記対象画像内にて、前記ユーザ色覚特性に基づく所定の混同色条件を満足する混同色領域を検出する混同色領域検出手段と、検出された前記混同色領域を、弁別可能に表示する表示手段と、を有する。
【手続補正３】
【補正対象書類名】明細書
【補正対象項目名】００１３
【補正方法】変更
【補正の内容】
【００１３】
さらに別の本発明に係る色覚支援装置においては、前記表示手段が、前記混同色領域の明度、彩度及び色相の少なくともいずれか１つを変えて表示する。
【手続補正４】
【補正対象書類名】明細書
【補正対象項目名】００１４
【補正方法】変更
【補正の内容】
【００１４】
本発明に係る色覚支援プログラムは、コンピュータに、ユーザに適合したユーザ色覚特性を登録する手順と、取得した対象画像内にて、前記ユーザ色覚特性に基づく所定の混同色条件を満足する混同色領域を検出する手順と、検出された前記混同色領域を弁別可能とした画像を生成する手順と、を実行させる。
【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
図柄が配列された複数の回転リールを回転始動させるための始動操作手段と、
その複数の回転リール毎に対応して設けられ、回転リールの回転を停止させるための停止操作手段と、
前記始動操作手段の操作を契機に役の成立に関する内部抽選を行って、予め定める役を内部的に決定する内部抽選手段と、を有し、
前記内部抽選手段により成立した特別役に対応する図柄の組み合わせが有効ライン上に停止表示されたときに、特別遊技へ移行するスロットマシンにおいて、
この特別役が内部的に成立しているときに、前記特別遊技への移行を左右するゲームを実行するゲーム実行手段と、
このゲームに勝つ又は当選する確率をペイアウト率に応じて変化させるとともに、このゲームに勝つ又は当選した場合に、前記特別遊技への移行を許容する制御手段と、
を備えることを特徴とするスロットマシン。
【請求項２】
前記ゲーム実行手段は、前記特別遊技への移行を左右するゲームとして、遊技者の選択操作を伴うチャンスゲームを実行し、
前記チャンスゲームに当選するか否かを予め内部的に決定するゲーム結果内部抽選手段を備えることを特徴とする請求項１に記載のスロットマシン。
【請求項３】
前記ゲーム実行手段は、前記特別遊技への移行を左右するゲームとして、前記停止操作手段の操作順序に基づく押し順当てゲームを実行し、
前記押し順当てゲームにおいて当選となる押し順パターンを予め内部的に決定する押し順パターン内部抽選手段と、
前記押し順パターン内部抽選手段により内部的に決定された押し順パターンと、前記押し順当てゲームにおける前記停止操作手段の操作順序と、が一致するか否かを比較判定する比較判定手段と、
を備えることを特徴とする請求項１に記載のスロットマシン。
【請求項４】
図柄が配列された複数の回転リールを回転始動させるための始動操作手段と、前記始動操作手段の操作を契機に役の成立に関する内部抽選を行って、予め定める役を内部的に決定する内部抽選手段と、を有し、前記内部抽選手段により成立した特別役に対応する図柄の組み合わせが有効ライン上に停止表示されたときに、特別遊技へ移行するスロットマシンを制御する制御方法において、
この特別役が内部的に成立しているときに、前記特別遊技への移行を左右するゲームを実行するステップと、
このゲームに勝つ又は当選する確率をペイアウト率に応じて変化させるステップと、
このゲームに勝つ又は当選した場合に、前記特別遊技への移行を許容するステップと、
を含むことを特徴とするスロットマシンの制御方法。
【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
複数の回転リールを回転始動させるための始動操作手段と、
前記始動操作手段の操作を契機に、付与される賞の大きさの異なる複数の特別遊技と対応付けられた複合特別遊技役を含む役の成立に関する内部抽選を行う第１内部抽選手段と、
前記第１内部抽選手段によって前記複合特別遊技役が内部的に成立しているときに、前記複合特別遊技役と対応付けられた複数の特別遊技のうち、１の特別遊技に対応する特別役をペイアウト率に応じて決定する第２内部抽選手段と、
を備えることを特徴とするスロットマシン。
【請求項２】
前記第２内部抽選手段によって決定された特別役の種類を遊技者に対して報知する特別役種報知手段を備えることを特徴とする請求項１記載のスロットマシン。
【請求項３】
複数の回転リールを回転始動させるための始動操作手段を備えるスロットマシンを制御する制御方法において、
前記始動操作手段の操作を契機に、付与される賞の大きさの異なる複数の特別遊技と対応付けられた複合特別遊技役を含む役の成立に関する内部抽選を行うステップと、
その内部抽選によって前記複合特別遊技役が内部的に成立しているときに、前記複合特別遊技役と対応付けられた複数の特別遊技のうち、１の特別遊技に対応する特別役をペイアウト率に応じて決定するステップと、
を含むことを特徴とするスロットマシンの制御方法。
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
所定空間内に静磁場及び傾斜磁場を形成する磁場形成ユニットと、
傾斜磁場の各座標軸方向に関する変化量と当該各座標軸方向に発生する傾斜磁場の時間に対する変化の割合とを対応付ける第１の情報と、傾斜磁場の時間に対する変化の割合と継続的な磁場印加の許容時間とを対応付ける第２の情報と、を記憶する記憶ユニットと、
前記各座標軸方向に発生させる傾斜磁場の強度及びシーケンスを決定する制御データを生成する制御データ生成ユニットと、
前記制御データに従って印加されるべき傾斜磁場の各座標軸方向に関する変化量と前記第１の情報とに基づいて、傾斜磁場の時間に対する変化の割合を計算する第１の計算ユニットと、
前記傾斜磁場の時間に対する変化の割合と前記第２の情報とに基づいて、前記傾斜磁場の時間に対する変化の割合毎の前記許容時間を計算する第２の計算ユニットと、
前記制御データに基づいて、傾斜磁場の時間に対する変化の割合毎の継続時間を計算する第３の計算ユニットと、
前記継続時間が前記許容時間以内であるか否かを判別する判別ユニットと、
を具備することを特徴とする磁気共鳴イメージング装置。
【請求項２】
前記判別ユニットが前記許容時間以内であると判別した場合には、前記制御データに従って傾斜磁場の発生を継続し、前記判別ユニットが前記許容時間以内でないと判別した場合には、傾斜磁場の発生を中止するように、前記磁場形成ユニットを制御する制御ユニットと、
を具備することを特徴とする請求項１記載の磁気共鳴イメージング装置。
【請求項３】
前記判定ユニットによる判定結果を提示する提示ユニットをさらに具備することを特徴とする請求項１又は２記載の磁気共鳴イメージング装置。
【請求項４】
前記第３の計算ユニットは、前記制御データによって決定されるシーケンスに従う傾斜磁場の停止が所定の閾値期間以内である場合には、当該傾斜磁場は継続して発生しているものとみなして前記継続時間を計算することを特徴とする請求項１記載の磁気共鳴イメージング装置。
【請求項５】
前記判別ユニットは、一つの継続時間において傾斜磁場の時間に対する変化の割合が変化する場合には、当該期間における最大の傾斜磁場の時間に対する変化の割合が継続しているものとして、前記判別を実行することを特徴とする請求項１記載の磁気共鳴イメージング装置。
【請求項６】
前記所定の閾値期間は、任意に設定可能であることを特徴とする請求項４又は３記載の磁気共鳴イメージング装置。
【請求項７】
前記所定の閾値期間は、任意のタイミングで変更可能であることを特徴とする請求項４又は３記載の磁気共鳴イメージング装置。
【請求項８】
前記傾斜磁場制御ユニットは、前記傾斜磁場の時間に対する変化の割合が緩やかに減少するように、前記傾斜磁場の発生を中止することを特徴とする請求項１乃至５のうちいずれか一項記載の磁気共鳴イメージング装置。
【請求項９】
前記記憶ユニットは、システム毎に対応した複数の前記第１の情報及び複数の前記第２の情報を格納し、
前記第１の計算ユニット及び前記第２の計算ユニットは、接続されているシステムに対応した前記第１の情報及び前記第２の情報を選択し、それぞれ計算を行うことを特徴とする請求項１乃至６のうちいずれか一項記載の磁気共鳴イメージング装置。
【請求項１０】
前記制御データ生成ユニットは、アイソセンタに関する前記制御データを生成し、
前記第１の計算ユニットは、前記アイソセンタに関する前記傾斜磁場の時間に対する変化の割合を計算する請求項１記載の磁気共鳴イメージング装置。
【請求項１１】
前記制御データ生成ユニットは、前記静磁場内の円柱領域の表面又は内部に存在する複数の位置に関する前記制御データを生成し、
前記第１の計算ユニットは、前記円柱領域の表面又は内部に存在する複数の位置に関する前記傾斜磁場の時間に対する変化の割合を計算し、
前記第２の計算ユニットは、前記複数の位置に関する前記傾斜磁場の時間に対する変化の割合のうちの最大値と前記第２の情報とに基づいて、前記傾斜磁場の時間に対する変化の割合毎の前記許容時間を計算する請求項１記載の磁気共鳴イメージング装置。
【手続補正２】
【補正対象書類名】明細書
【補正対象項目名】０００８
【補正方法】変更
【補正の内容】
【０００８】
本発明の視点は、所定空間内に静磁場及び傾斜磁場を形成する磁場形成ユニットと、傾斜磁場の各座標軸方向に関する変化量と当該各座標軸方向に発生する傾斜磁場の時間に対する変化の割合とを対応付ける第１の情報と、傾斜磁場の時間に対する変化の割合と継続的な磁場印加の許容時間とを対応付ける第２の情報と、を記憶する記憶ユニットと、前記各座標軸方向に発生させる傾斜磁場の強度及びシーケンスを決定する制御データを生成する制御データ生成ユニットと、前記制御データに従って印加されるべき傾斜磁場の各座標軸方向に関する変化量と前記第１の情報とに基づいて、傾斜磁場の時間に対する変化の割合を計算する第１の計算ユニットと、前記傾斜磁場の時間に対する変化の割合と前記第２の情報とに基づいて、前記傾斜磁場の時間に対する変化の割合毎の前記許容時間を計算する第２の計算ユニットと、前記制御データに基づいて、傾斜磁場の時間に対する変化の割合毎の継続時間を計算する第３の計算ユニットと、前記継続時間が前記許容時間以内であるか否かを判別する判別ユニットと、を具備することを特徴とする磁気共鳴イメージング装置である。
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
炭酸ガスを水に溶解させて炭酸泉を製造する方法であって、耐圧タンクに接続された炭酸ガス供給手段から炭酸ガスを供給して、前記耐圧タンク内の圧力を加圧すること、スプレーノズルを有する第１の水供給手段から、前記耐圧タンク内に前記水をスプレー噴霧すること、前記耐圧タンク内にて製造された炭酸泉の取り出し手段に接続された止水栓の上流側から、第２の水供給手段により水を供給し、前記耐圧タンク内にて製造された炭酸泉と混合すること、を含んでなることを特徴とする炭酸泉の製造方法。
【請求項２】
前記耐圧タンク内の圧力を０．０５ＭＰａ〜０．３ＭＰａに加圧することを特徴とする請求項１に記載の方法。
【請求項３】
前記第２の水供給手段から供給される水量を、前記第１の水供給手段から供給される水量で割った値に、０．０５〜０．３ＭＰａを乗じた値の範囲内に、前記耐圧タンク内の圧力を調整することを特徴とする請求項１又は２に記載の方法。
【請求項４】
前記スプレー噴霧の圧力を０．０５ＭＰａ〜０．５ＭＰａに制御することを含んでなることを特徴とする請求項１〜３のいずれかに記載の方法。
【請求項５】
前記水の温度を２５〜５０°Ｃに制御することを含んでなることを特徴とする請求項１〜４のいずれかに記載の方法。
【請求項６】
炭酸ガスを温水に溶解させて炭酸泉を製造する装置であって、耐圧タンクと、前記耐圧タンクに接続された炭酸ガス供給手段と、前記耐圧タンク内に配されたスプレーノズルを有する第１の水供給手段と、前記耐圧タンク内にて製造された炭酸泉の取り出し手段と、前記炭酸泉の取り出し手段に接続された止水栓と、前記止水栓の上流側に接続された第２の水供給手段と、を備えてなることを特徴とする炭酸泉の製造装置。
【請求項７】
前記止水栓として混合栓が用いられ、前記第２の水供給手段が前記混合栓に接続されてなることを特徴とする請求項６記載の製造装置。  
以上
【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
先端側に配置された線状の第１ワイヤと、前記第１ワイヤの基端に接合され、前記第１ワイヤの構成材料より弾性率が大きい材料で構成された線状の第２ワイヤとを備えるワイヤ本体を有し、前記第１ワイヤと前記第２ワイヤとの接合境界部が、曲面状をなし、かつ、前記ワイヤ本体の中心軸に対しほぼ対称な形状であることを特徴とするガイドワイヤ。
【請求項２】
前記接合境界部は、前記ワイヤ本体の基端方向に向かって凸となる湾曲凸面状をなしている請求項１に記載のガイドワイヤ。
【請求項３】
前記第１ワイヤと前記第２ワイヤとの接合は、溶接によりなされている請求項１または２に記載のガイドワイヤ。
【請求項４】
前記接合境界部は、層状をなしている請求項１ないし３のいずれかに記載のガイドワイヤ。
【請求項５】
前記層状をなす接合境界部の厚さは、０．００１〜１００μｍである請求項４に記載のガイドワイヤ。
【手続補正書】
【提出日】平成18年12月7日(2006.12.7)
【手続補正１】
【補正対象書類名】特許請求の範囲
【補正対象項目名】請求項１
【補正方法】変更
【補正の内容】
【請求項１】
可変表示装置にて識別情報を変動表示させる変動表示ゲームが行われ、変動表示ゲームの表示制御を行う表示制御手段と、
前記表示制御手段に対して変動表示ゲームの開始を指令するとともに、変動表示ゲームが特別な結果になる場合には遊技者に特典を付与する遊技制御手段と、を備えた遊技機において、
前記表示制御手段は、
予め設定した数値範囲を巡回するポインタを更新する巡回ポインタ更新手段と、
前記ポインタに対応して、識別情報の背面側で背景画像を巡回表示させる背景画像巡回表示手段と、
前記遊技制御手段からの指令を受信した際の前記ポインタの値に基づき、識別情報の変動態様として予め背景画像に対応付けられているものの中から、１つの変動態様を選択する変動態様選択手段と、
選択された変動態様にて識別情報を変動表示させる選択変動態様実行手段と、
を備えたことを特徴とする遊技機。
【手続補正２】
【補正対象書類名】明細書
【補正対象項目名】０００７
【補正方法】変更
【補正の内容】
【０００７】
第１の発明は、可変表示装置にて識別情報を変動表示させる変動表示ゲームが行われ、変動表示ゲームの表示制御を行う表示制御手段と、前記表示制御手段に対して変動表示ゲームの開始を指令するとともに、変動表示ゲームが特別な結果になる場合には遊技者に特典を付与する遊技制御手段と、を備えた遊技機において、
前記表示制御手段は、予め設定した数値範囲を巡回するポインタを更新する巡回ポインタ更新手段と、前記ポインタに対応して、識別情報の背面側で背景画像を巡回表示させる背景画像巡回表示手段と、前記遊技制御手段からの指令を受信した際の前記ポインタの値に基づき、識別情報の変動態様として予め背景画像に対応付けられているものの中から、１つの変動態様を選択する変動態様選択手段と、選択された変動態様にて識別情報を変動表示させる選択変動態様実行手段と、を備える。
【手続補正書】
【提出日】平成19年10月26日(2007.10.26)
【手続補正１】
【補正対象書類名】特許請求の範囲
【補正対象項目名】全文
【補正方法】変更
【補正の内容】
【特許請求の範囲】
【請求項１】
多官能アミンと多官能酸ハロゲン化物との重縮合反応によるポリアミドの分離機能層を形成させてなる複合半透膜を改質処理する方法であって、前記複合半透膜を湿潤状態で、分離機能層中の第一級アミノ基と反応してジアゾニウム塩またはその誘導体を生成する化合物と６０分以内接触させることを特徴とする複合半透膜の製造方法。
【手続補正書】
【提出日】平成19年5月1日(2007.5.1)
【手続補正１】
【補正対象書類名】明細書
【補正対象項目名】請求項１
【補正方法】変更
【補正の内容】
【請求項１】
細胞の接着、増殖、分化、生存、未分化状態の維持及び細胞死の少なくとも一つの機能に関与している細胞培養制御用物質を含む液体を微小液滴吐出手段によって基体に付与し、該基体に該細胞制御用物質を固定化せしめることによって形成されてなる該細胞培養制御用物質の固定化領域を有することを特徴とする細胞培養用の基体。
【手続補正２】
【補正対象書類名】明細書
【補正対象項目名】請求項７
【補正方法】変更
【補正の内容】
【請求項７】
前記固定領域が前記基体の表面に形成された凹部内に形成されている請求項１〜６のいずれかに記載の基体。
【手続補正３】
【補正対象書類名】明細書
【補正対象項目名】請求項１２
【補正方法】変更
【補正の内容】
【請求項１２】
前記固定化領域が、帯状もしくはドット状のパターンであり、該パターンの幅が、培養しようとする細胞の幅と同等もしくは小さいことを特徴とする請求項１〜１１の何れかに記載の基体。
【手続補正４】
【補正対象書類名】明細書
【補正対象項目名】請求項２２
【補正方法】変更
【補正の内容】
【請求項２２】
前記細胞培養制御用物質の配置領域の一部を覆うように細胞非接着物質の配置領域が形成され該細胞培養制御用物質の表出している部分が前記パターンを成している請求項１９に記載の基体。
【手続補正５】
【補正対象書類名】明細書
【補正対象項目名】請求項３１
【補正方法】変更
【補正の内容】
【請求項３１】
前記凸部に撥水処理を施した後、前記細胞培養制御用物質を該凸部により囲われた部分に配置する工程を含む請求項３０記載の製造方法。
【手続補正６】
【補正対象書類名】明細書
【補正対象項目名】００１０
【補正方法】変更
【補正の内容】
【００１０】
【課題を解決するための手段】
本発明の一態様にかかる細胞培養用の基体は、細胞の接着、増殖、分化、生存、未分化状態の維持及び細胞死の少なくとも一つの機能に関与している細胞培養制御用物質を含む液体を微小液滴吐出手段によって基体に付与し、該基体に該細胞制御用物質を固定化せしめることによって形成されてなる該細胞培養制御用物質の固定化領域を有することを特徴とする。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】 ｕｓｈＡ遺伝子及びａｐｈＡ遺伝子が正常に機能せず、かつ、ヌクレオシド−５'−リン酸エステル生産能を有するエシェリヒア属細菌を培地に培養し、培地中にヌクレオシド−５'−リン酸エステルを生成蓄積せしめ、同培地からヌクレオシド−５'−リン酸エステルを採取することを特徴とするヌクレオシド−５'−リン酸エステルの製造法。
【請求項２】 ｕｓｈＡ遺伝子及びａｐｈＡ遺伝子が変異が導入又は破壊されたことにより正常に機能しない請求項１記載のヌクレオシド−５'−リン酸エステルの製造法。
【請求項３】 前記ヌクレオシド−５'−リン酸エステルが５'−イノシン酸又は５'−グアニル酸である請求項１又は２に記載のヌクレオシド−５'−リン酸エステルの製造法。
【請求項４】 ｕｓｈＡ遺伝子及びａｐｈＡ遺伝子が破壊され、かつ、ヌクレオシド−５'−リン酸エステル生産能を有するエシェリヒア属細菌。
【請求項５】 前記ヌクレオシド−５'−リン酸エステルが５'−イノシン酸又は５'−グアニル酸である請求項４記載のエシェリヒア属細菌。
【請求項６】 微生物の親株及び既知の５'−ヌクレオチダーゼを欠失した誘導株を、第一のヌクレオシド−５'−リン酸エステルを唯一の炭素源とする最少培地、及び第二のヌクレオシド−５'−リン酸エステルを唯一の炭素源とする最少培地で培養して、親株及び誘導株の遺伝子発現プロファイルを調べ、第一の５'−ヌクレオシド−５'−リン酸エステルを炭素源とする培地で培養したときの遺伝子の誘導株における発現量と親株における発現量との比と、第二の５'−ヌクレオシド−５'−リン酸エステルを炭素源とする培地で培養したときの前記遺伝子の誘導株における発現量と親株における発現量との比の積をとり、その値の大きい遺伝子を選択することを特徴とする、ヌクレオシド−５'−リン酸エステルの蓄積に影響する５'−ヌクレオチダーゼ遺伝子の探索方法。
【請求項７】 前記第一及び第二のヌクレオシド−５'−リン酸エステルが、５'−イノシン酸及び５'−グアニル酸である請求項６記載の５'−ヌクレオチダーゼ遺伝子の探索方法。
【請求項８】 前記の選択された遺伝子から、タンパク質のペリプラズムへの移行に必要なシグナル配列をコードし得る遺伝子をさらに選択することを特徴とする請求項６又は７に記載の５'−ヌクレオチダーゼ遺伝子の探索方法。
【手続補正書】
【提出日】平成19年9月28日(2007.9.28)
【手続補正１】
【補正対象書類名】明細書
【補正対象項目名】発明の名称
【補正方法】変更
【補正の内容】
【発明の名称】画像処理装置、画像処理方法
【手続補正２】
【補正対象書類名】明細書
【補正対象項目名】特許請求の範囲
【補正方法】変更
【補正の内容】
【特許請求の範囲】
【請求項１】  画像選択の機能と、印刷の機能とを有する画像処理装置であって、
前記画像選択の機能にもとづき、複数の画像が選択されて、その選択が継続している状態かどうかを判断する判断手段と、
前記判断手段により継続していると判断した場合に、印刷の機能へ選択した画像の情報を受け渡す為のデータを出力する管理手段と、
前記印刷の機能にもとづき、
印刷枚数を指定する指定手段と、
前記管理手段が出力した情報を入力する入力手段と、
前記入力手段により入力された情報に含まれる複数の画像に対して、前記指定手段により指定された印刷枚数を設定する設定手段とを備えることを特徴とする画像処理装置。
【請求項２】  前記印刷の機能へ選択した画像の情報を受け渡す為のデータとして、複数の画像に対する選択の継続が判断されたあとに日時情報を書き込むことを特徴とする請求項１記載の画像処理装置。
【請求項３】  前記印刷の機能へ選択した画像の情報を受け渡す為のデータとして、複数の画像データのパスと、複数の画像に対する選択の継続が判断されたあとに日時情報を書き込むことを特徴とする請求項１又は２記載の画像処理装置。
【請求項４】  前記判断手段は、キーボードのキーを押しながら画像の選択が行われたときは継続と判断することを特徴とする請求項１記載の画像処理装置。
【請求項５】  前記判断手段は、キーボードのキーを押しながらマウスにより画像の選択が行われたときは継続と判断することを特徴とする請求項４記載の画像処理装置。
【請求項６】  前記印刷の機能へ選択した画像の情報を受け渡す為のデータは、ＸＭＬファイルであることを特徴とする請求項１記載の画像処理装置。
【請求項７】  前記印刷の機能へ選択した画像の情報を受け渡す為のデータは、ＨＴＭＬファイルであることを特徴とする請求項１記載の画像処理装置。
【請求項８】  画像選択の機能と、印刷の機能とを有する画像処理装置であって、
画像選択の機能において、
メモリに保存されている画像データから複数の画像を選択する選択手段と、
前記選択手段により選択された画像を指定するための情報が記述されたデータを作成する作成手段と、
印刷の機能において、
前記作成手段で作成された前記データを取り込む取り込み手段と、
前記データで指定される画像に対する印刷の設定を行う設定手段と、
前記設定手段での設定を保存する保存手段と、
前記画像選択が継続しているか否かを判断する判断手段とを有し、判断の結果に応じて、前記保存手段により保存された設定を、前記データで指定される画像の印刷へ反映するか否かをコントロールすることを特徴とする画像処理装置。
【請求項９】  前記判断手段は、前記印刷の設定と前記データとの日時情報に基づいて判断されることを特徴とする請求項８に記載の画像処理装置。
【請求項１０】  前記印刷の設定には印刷枚数情報を含むことを特徴とする請求項８ないし９のいずれか１項に記載の画像処理装置。
【請求項１１】  前記判断手段により画像選択が継続していないと判断した場合には、前記データで指定される画像への印刷枚数の初期状態を全て１とすることを特徴とする請求項８ないし１０のいずれか１項に記載の画像処理装置。
【請求項１２】  画像選択の機能と、印刷の機能とを有する画像処理装置における画像処理方法であって、
画像選択の機能において、
メモリに保存されている画像データから複数の画像を選択する選択工程と、
前記選択工程により選択された画像を指定する情報が記述されたデータを作成する作成工程と、
印刷の機能において、
前記作成工程で作成された前記データを取り込む取り込み工程と、
前記データで指定される画像に対する印刷の設定を行う設定工程と、
前記設定工程での設定を保存する保存工程と、
前記画像選択が継続しているか否かを判断する判断工程とを有し、判断の結果に応じて、前記保存工程で保存された設定を、前記データで指定される画像の印刷へ反映するか否かをコントロールすることを特徴とする画像処理方法。
【請求項１３】  前記判断工程は、前記印刷の設定と前記データとの日時情報に基づいて判断されることを特徴とする請求項１２に記載の画像処理方法。
【請求項１４】  前記印刷の設定には印刷枚数情報を含むことを特徴とする請求項１２ないし１３のいずれか１項に記載の画像処理方法。
【請求項１５】  前記判断工程により画像選択が継続していないと判断した場合には、前記データで指定される画像への印刷枚数の初期状態を全て１とすることを特徴とする請求項１２ないし１４のいずれか１項に記載の画像処理方法。
【手続補正３】
【補正対象書類名】明細書
【補正対象項目名】０００４
【補正方法】変更
【補正の内容】
【０００４】
【課題を解決するための手段】
上記目的を達成するため、本発明は、画像選択の機能と、印刷の機能とを有する画像処理装置であって、画像選択の機能にもとづき、複数の画像が選択されて、その選択が継続している状態かどうかを判断する判断手段と、判断手段により継続していると判断した場合に、印刷の機能へ選択した画像の情報を受け渡す為のデータを出力する管理手段と、印刷の機能にもとづき、印刷枚数を指定する指定手段と、管理手段が出力した情報を入力する入力手段と、入力手段により入力された情報に含まれる複数の画像に対して、指定手段により指定された印刷枚数を設定する設定手段とを備えることを特徴とする。
また、上記目的を達成するため、本発明は、画像選択の機能と、印刷の機能とを有する画像処理装置であって、画像選択の機能において、メモリに保存されている画像データから複数の画像を選択する選択手段と、選択手段により選択された画像を指定するための情報が記述されたデータを作成する作成手段と、印刷の機能において、作成手段で作成されたデータを取り込む取り込み手段と、データで指定される画像に対する印刷の設定を行う設定手段と、設定手段での設定を保存する保存手段と、画像選択が継続しているか否かを判断する判断手段とを有し、判断の結果に応じて、保存手段により保存された設定を、データで指定される画像の印刷へ反映するか否かをコントロールすることを特徴とする。
【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
互いに異なるサブネットアドレスをもつ複数の無線インターフェイスと、
無線端末装置が接続すべき前記無線インターフェイスを選択する選択手段と、
前記無線端末装置に対して、前記選択手段によって選択された前記無線インターフェイスの前記サブネットアドレスをネットワークアドレス部にもつＩＰアドレスが割り当てられるように制御するアドレス割当手段と、
を有することを特徴とする無線アクセスポイント。
【請求項２】
前記選択手段は、前記無線端末装置の接続状態に基づいて、前記無線端末装置が接続すべき前記無線インターフェイスを選択することを特徴とする請求項１記載の無線アクセスポイント。
【請求項３】
前記無線アクセスポイントには、認証サーバが接続された所定のネットワークが接続され、
前記無線端末装置が前記認証サーバによって認証されて前記所定のネットワークへの接続を許された状態であるか否かを示す接続状態に基づいて、前記選択手段は前記無線インターフェイスを選択することを特徴とする請求項１記載の無線アクセスポイント。
【請求項４】
前記選択手段は、前記無線端末装置が、前記所定のネットワークへの接続を許された状態であるならば、前記複数の無線インターフェイスのうちの第１の無線インターフェイスを選択し、一方、前記所定のネットワークに接続を許されない状態であるならば、前記第１の無線インターフェイスとは異なる第２の無線インターフェイス装置を選択することを特徴とする請求項３記載の無線アクセスポイント。
【請求項５】
前記無線アクセスポイントには、ＤＨＣＰサーバが接続された所定のネットワークが接続され、
前記アドレス割当手段は、前記ＤＨＣＰサーバを制御することを特徴とする請求項１記載の無線アクセスポイント。
【請求項６】
前記選択手段は、前記無線端末装置の機器種別に基づいて、前記無線端末装置が接続すべき前記無線インターフェイスを選択することを特徴とする請求項１記載の無線アクセスポイント。
【請求項７】
前記無線端末装置が第１または第２の機器種別のうちのいずれに属するかを示す機器種別の情報に基づいて、前記選択手段は前記無線インターフェイスを選択することを特徴とする請求項１記載の無線アクセスポイント。
【請求項８】
前記選択手段は、前記無線端末装置が、前記第１の機器種別に属するならば、前記複数の無線インターフェイスのうちの第１の無線インターフェイスを選択し、一方、前記第２の機器種別に属するならば、前記第１の無線インターフェイスとは異なる第２の無線インターフェイスを選択することを特徴とする請求項７記載の無線アクセスポイント。
【請求項９】
前記第１の機器種別は、情報処理機器を包含する機器種別であり、前記第２の機器種別は、プリンタまたはカメラを包含する機器種別であることを特徴とする請求項８記載の無線アクセスポイント。
【請求項１０】
前記無線端末装置の機器種別を判別するＵＰｎＰスタックを、更に有することを特徴とする請求項６記載の無線アクセスポイント。
【請求項１１】
互いに異なるサブネットアドレスをもつ複数の無線インターフェイスを備える無線アクセスポイントに適用される接続制御方法において、
無線端末装置が接続すべき無線インターフェイス装置を選択する選択ステップと、
前記無線端末装置に対して、前記選択ステップによって選択された前記無線インターフェイスの前記サブネットアドレスをネットワークアドレス部にもつＩＰアドレスが割り当てられるように制御するアドレス割当ステップと、
を有することを特徴とする接続制御方法。
【請求項１２】
互いに異なるサブネットアドレスをもつ複数の無線インターフェイスを備える無線アクセスポイントに適用される接続制御方法を、コンピュータに実行させるためのプログラムにおいて、
無線端末装置が接続すべき前記無線インターフェイスを選択する選択ステップと、
前記無線端末装置に対して、前記選択ステップによって選択された前記無線インターフェイスの前記サブネットアドレスをネットワークアドレス部にもつＩＰアドレスが割り当てられるように制御するアドレス割当ステップと、
を有することを特徴とするプログラム。
【手続補正２】
【補正対象書類名】明細書
【補正対象項目名】０００９
【補正方法】変更
【補正の内容】
【０００９】
本発明は上記問題を鑑みてなされたものであって、無線端末装置間の不要な接続を予防することを目的とする。
【手続補正３】
【補正対象書類名】明細書
【補正対象項目名】００１０
【補正方法】変更
【補正の内容】
【００１０】
本発明は、互いに異なるサブネットアドレスをもつ複数の無線インターフェイスと、前記無線端末装置が接続すべき無線インターフェイスを選択する選択手段と、前記無線端末装置に対して、前記選択手段によって選択された無線インターフェイスのサブネットアドレスをネットワークアドレス部にもつＩＰアドレスが割り当てられるように制御するアドレス割当手段と、を有することを特徴とする無線アクセスポイント、該無線アクセスポイントに適用される接続制御方法、該接続制御方法を、コンピュータに実行させるためのプログラムを提供する。
【手続補正４】
【補正対象書類名】明細書
【補正対象項目名】００１１
【補正方法】変更
【補正の内容】
【００１１】
また、無線端末装置が接続すべき無線インターフェイスの選択は、無線端末装置の接続状態もしくは無線端末装置の機器種別に基づいて行う。
【手続補正５】
【補正対象書類名】明細書
【補正対象項目名】００１２
【補正方法】変更
【補正の内容】
【００１２】
本発明によれば、無線端末装置が異なるサブネットに属することになり、その結果、ＩＰアドレスのネットワークアドレス部が異なることになるので、こうした無線端末装置間で不要な接続を予防できる。